(57)【特許請求の範囲】
【請求項１】
表示部および入力部からなる顧客操作表示部を有し、顧客の操作により暗証番号変更取引を行なう自動取引装置と、暗証番号を含む顧客口座情報を管理する上位装置を備えた自動取引システムにおいて、
前記上位装置は、暗証番号の登録を禁止する前記顧客の禁止暗証番号を前記顧客口座情報から作成するとともに、前記禁止暗証番号の禁止理由の基となる前記顧客口座情報と前記禁止暗証番号を格納するデータベースを有し、
前記自動取引装置は、顧客の操作による暗証番号の変更取引を受付け、前記上位装置から前記顧客の前記禁止暗証番号と前記禁止理由を受信し、前記顧客操作表示部に前記顧客の前記禁止暗証番号を表示するとともに、前記顧客の前記禁止暗証番号に対応付けて前記禁止理由を表示し、
さらに、顧客の操作により登録を許可する許可暗証番号の入力を受付け、前記上位装置に前記許可暗証番号を予め登録させるために当該許可暗証番号を前記上位装置に送信することを制御する制御部を有することを特徴とする自動取引システム。
【請求項２】
請求項１記載の自動取引システムにおいて、前記制御部はさらにまた、顧客の操作により、別途登録を禁止する前記顧客の前記禁止暗証番号と異なる第２の禁止暗証番号の入力を受付け、当該顧客の当該第２の禁止暗証番号を前記顧客の前記禁止暗証番号に追加するために前記顧客の前記第２の禁止暗証番号を前記上位装置に送信することを特徴とする自動取引システム。
【請求項３】
請求項１又は２記載の自動取引システムにおいて、前記顧客操作表示部に表示する前記顧客の前記禁止暗証番号は複数の前記禁止暗証番号の一覧表形式であることを特徴とする自動取引システム。
【請求項４】
請求項１又は２記載の自動取引システムにおいて、前記顧客口座情報に追加または変更があった場合にそれに合わせて前記顧客の前記禁止暗証番号を追加または変更することを特徴とする自動取引システム。
【請求項５】
表示部および入力部からなる顧客操作表示部を有し、顧客の操作により暗証番号変更取引を行ない、暗証番号を含む顧客口座情報を管理する上位装置と暗証番号変更取引のための情報を送受信する自動取引装置において、
顧客の操作による暗証番号の変更取引を受付け、
前記上位装置から受信する前記暗証番号変更取引のための情報に、前記上位装置が前記顧客口座情報から作成した前記暗証番号の登録を禁止する前記顧客の禁止暗証番号と前記禁止暗証番号の禁止理由を含めて受信し、
前記顧客操作表示部に前記顧客の前記禁止暗証番号を表示するとともに、前記顧客の前記禁止暗証番号に対応付けて前記禁止理由を表示し、
さらに、顧客の操作により登録を許可する許可暗証番号の入力を受付け、前記上位装置に前記許可暗証番号を予め登録させるために当該許可暗証番号を前記上位装置に送信することを制御する制御部を有することを特徴とする自動取引装置。
【請求項６】
請求項５記載の自動取引装置において、前記制御部はさらにまた、顧客の操作により、別途登録を禁止する前記顧客の前記禁止暗証番号と異なる第２の禁止暗証番号の入力を受付け、当該顧客の当該第２の禁止暗証番号を前記顧客の前記禁止暗証番号に追加するために前記顧客の前記第２の禁止暗証番号を前記上位装置に送信することを特徴とする自動取引装置。
【発明の詳細な説明】
【技術分野】
【０００１】
本発明は、顧客の操作により取引を行う自動取引装置を備えた自動取引システムに関するもので、自動取引装置で暗証番号の変更が可能な自動取引システムに関するものである。
【背景技術】
【０００２】
自動取引装置で出金取引等を行う場合、本人確認のための暗証番号を入力することが要求されるが、口座開設時に登録した暗証番号の変更する場合、金融機関の店舗の窓口で手続を行うことは、顧客にとっても金融機関の係員にとっても面倒で負担がかかることになる。そのため、暗証番号の変更機能を持たせた暗証番号変更システムが提案されている。
【０００３】
特開２００７−３４４０９（特許文献１）は顧客の操作により自動取引装置で暗証番号の変更を行なう際に、顧客は覚え易いように、自分に関連した情報から連想できる暗証番号を変更登録しがちであることを考慮し、顧客が当該顧客の個人情報から推測され易い暗証番号を指定した場合には、その指定を受付けないようにするものである。
【特許文献１】特開２００７−３４４０９
【発明の開示】
【発明が解決しようとする課題】
【０００４】
しかしながら、特許文献１の暗証番号変更システムは、第三者に推測され易く暗証番号として不適当な番号をホストコンピュータに接続されたデータベースに登録しておくか、自動取引装置の一時記憶部に記憶するものであるが（段落００２８）、新しい暗証番号の指定時、これらは顧客には見えないものであり、顧客は新しい暗証番号を指定すると、「変更拒否」か「変更許可」の結果しか分からない（段落００２９）。その結果、変更拒否となった場合、もう一度新しい暗証番号を指定して手続をやり直さなければならず、煩雑であるという問題があった。
【０００５】
本発明はこのような状況に鑑み、暗証番号の変更時、第三者に推測され易い暗証番号は顧客に表示するようにし、暗証番号の変更登録を迅速に行なうことを課題とするものである。
【課題を解決するための手段】
【０００６】
本発明は、上記課題解決のために、自動取引装置によって、暗証番号の変更を行なう自動取引システムにおいて、第三者に推測され易い暗証番号はホストコンピュータに接続されたデータベースに登録しておき、暗証番号の変更登録時、自動取引装置の顧客操作表示部にこれらを表示するものである。
【０００７】
請求項１記載の自動取引システムは、表示部および入力部からなる顧客操作表示部を有し、顧客の操作により暗証番号変更取引を行なう自動取引装置と、暗証番号を含む顧客口座情報を管理する上位装置を備えた自動取引システムにおいて、前記上位装置は、暗証番号の登録を禁止する前記顧客の禁止暗証番号を前記顧客口座情報から作成するとともに、前記禁止暗証番号の禁止理由の基となる前記顧客口座情報と前記禁止暗証番号を格納するデータベースを有し、前記自動取引装置は、顧客の操作による暗証番号の変更取引を受付け、前記上位装置から前記顧客の前記禁止暗証番号と前記禁止理由を受信し、前記顧客操作表示部に前記顧客の前記禁止暗証番号を表示するとともに、前記顧客の前記禁止暗証番号に対応付けて前記禁止理由を表示し、さらに、顧客の操作により登録を許可する許可暗証番号の入力を受付け、前記上位装置に前記許可暗証番号を予め登録させるために当該許可暗証番号を前記上位装置に送信する。これにより、顧客は顧客操作表示部に表示された顧客の禁止暗証番号を見ながら暗証番号変更取引を行なうことができる。また、上位装置は予め作成しておいてもよく、その都度作成してもよいが、これにより、第三者に推測され易い暗証番号の確度が増加する。さらに禁止理由も表示するので顧客にとって操作性が向上する。さらに、顧客は次回の暗証番号の変更のために、許可暗証番号を事前に決めておくので、悪意の第三者により、暗証番号が勝手に変更されることがない。
【０００８】
請求項２記載の自動取引システムは、請求項１記載の自動取引システムにおいて、前記制御部はさらにまた、顧客の操作により、別途登録を禁止する前記顧客の前記禁止暗証番号と異なる第２の禁止暗証番号の入力を受付け、当該顧客の当該第２の禁止暗証番号を前記顧客の前記禁止暗証番号に追加するために前記顧客の前記第２の禁止暗証番号を前記上位装置に送信する。これにより、顧客の希望により禁止暗証番号を追加できるので、次回暗証番号変更時、顧客が忘れたとしても顧客操作表示部に表示される。
【００１０】
請求項３記載の自動取引システムは、請求項１又は２記載の自動取引システムにおいて、前記顧客操作表示部に表示する前記顧客の前記禁止暗証番号は複数の前記禁止暗証番号の一覧表形式である。これにより、顧客は禁止暗証番号が見やすく、操作性が向上する。
【００１１】
請求項４記載の自動取引システムは、請求項１又は２記載の自動取引システムにおいて、前記顧客口座情報に追加または変更があった場合にそれに合わせて前記顧客の前記禁止暗証番号を追加または変更する。これにより、顧客口座情報に追加または変更があっても、対応が可能である。
【００１３】
請求項５記載の自動取引装置は、表示部および入力部からなる顧客操作表示部を有し、顧客の操作により暗証番号変更取引を行ない、暗証番号を含む顧客口座情報を管理する上位装置と暗証番号変更取引のための情報を送受信する自動取引装置において、顧客の操作による暗証番号の変更取引を受付け、前記上位装置から受信する前記暗証番号変更取引のための情報に、前記上位装置が前記顧客口座情報から作成した前記暗証番号の登録を禁止する前記顧客の禁止暗証番号と前記禁止暗証番号の禁止理由を含めて受信し、前記顧客操作表示部に前記顧客の前記禁止暗証番号を表示するとともに、前記顧客の前記禁止暗証番号に対応付けて前記禁止理由を表示し、さらに、顧客の操作により登録を許可する許可暗証番号の入力を受付け、前記上位装置に前記許可暗証番号を予め登録させるために当該許可暗証番号を前記上位装置に送信することを制御する制御部を有する。これにより、顧客は次回の暗証番号の変更のために、許可暗証番号を事前に決めておくので、悪意の第三者により、暗証番号が勝手に変更されることがない。
【００１４】
請求項６記載の自動取引装置は、請求項５記載の自動取引装置において、前記制御部はさらにまた、顧客の操作により、別途登録を禁止する前記顧客の前記禁止暗証番号と異なる第２の禁止暗証番号の入力を受付け、当該顧客の当該第２の禁止暗証番号を前記顧客の前記禁止暗証番号に追加するために前記顧客の前記第２の禁止暗証番号を前記上位装置に送信することを制御する制御部を有する。これにより、顧客の希望により禁止暗証番号を追加できるので、次回暗証番号変更時、顧客が忘れたとしても顧客操作表示部に表示される。
【発明の効果】
【００１５】
本発明によれば、顧客が自動取引装置を利用して自己の暗証番号を変更しようとする場合、第三者に推測され易い番号に気付くことが出来て、かつ禁止暗証番号の一覧表示を参照して指定することが出来るので、推測され易い番号を暗証番号として登録することを未然に防ぐことが可能となる。
【００１６】
また、本発明によれば、ホストコンピュータに接続されたデータベースに登録された禁止暗証番号の一覧に対し顧客が自己の都合で禁止暗証番号を追加できること、すなわち顧客自らが、第三者に推測され易いと思われる暗証番号を事前に禁止暗証番号として登録できるため、推測され易い暗証番号を登録することを未然に防ぐことができる。さらに金融機関にとって、顧客に対しよりきめ細かいサービスを提供することができる。
【００１７】
さらに、本発明によれば、禁止暗証番号とは別に許可暗証番号（次回予定暗証番号）の一覧を、顧客が自己の都合で作成することができるので、カード盗難によって、悪意の第三者により暗証番号が変更されるおそれがなくなる。
【００１８】
さらに、本発明によれば、一つのカードの暗証番号の変更だけでなく、複数のカードの暗証番号の変更を継続して行なうことができる。
【発明を実施するための最良の形態】
【００１９】
以下に発明を実施するための最良の形態を図面に基づいて説明する。はじめに、本発明の前提となる自動取引システムについて説明する。図１は本発明の自動取引装置の外観図である。１は自動取引装置（以後、ＡＴＭとする）であり、金融機関が管理し維持する後述するホストコンピュータと通信回線を介して接続されている。ＡＴＭ１は金融機関の営業店舗やコンビニエンスストア、ガソリンスタンド、スーパーマーケット等に設置されている。
【００２０】
同図において、１１は、顧客の取引操作のための顧客操作表示部であって、顧客が取引操作するための取引誘導表示部と、操作入力するためのタッチパネルで構成されている。当該タッチパネルには、後述するテンキー部が表示されている。
【００２１】
１２は図示しない顧客識別カード（以後、キャッシュカードとする）の情報を読取るカード処理部である。当該キャッシュカードには、金融機関ごとのコード（番号）や利用者の口座番号、氏名等の顧客情報が記憶されている。当該カード処理部１２の前面側に接続されたカード挿入返却口により、前記キャッシュカードが挿入され、また取引終了時に返却が行われる。
【００２２】
１３は顧客に発行されるレシートの発行処理を行うレシート処理部である。当該レシート処理部１３は、取引明細の印字を行い顧客に発行されるレシートの発行処理を行う。１４は紙幣及び硬貨を処理するための貨幣入出金部であり、顧客により入金される媒体としての貨幣を真偽鑑別し、計数し、搬送して図示しない金種別のカセット部に収納し、又は顧客に支払われる貨幣を金種別のカセット部より繰出すものである。
【００２３】
１５は顧客がＡＴＭ１に接近したことを検知する接近検知器である。通常、当該接近検知器１５が顧客の接近を検知すると、後述する取引選択画面が、顧客操作表示部１１に表示される。
【００２４】
図２は自動取引装置とホストコンピュータから構成される自動取引システムの構成図である。図２の説明において、図１と共通の符号部分については、同一の構成要素であり説明を省略する。
【００２５】
同図の１８はＡＴＭ１の各部を制御する制御部である。制御プログラムが記憶されたＲＡＭやＲＯＭ又はハードディスクなどで構成された記憶部としてのメモリ部１６及びホストコンピュータとの接続口である図示しないインターフェース部を有している。
【００２６】
２１はＡＴＭ１の上位装置であるホストコンピュータであり、ＡＴＭ１と通信回線で接続され、ＡＴＭ１と送受信を行うことにより、入金取引、支払取引、為替取引等の各種取引を実行する。２２は、ホストコンピュータ２１に接続されるデータベースであり、顧客口座情報として、顧客の氏名、住所、預金残高、暗証番号等を体系的に管理、記憶している。
【００２７】
次に、図３及び図４を用いて暗証番号変更取引の動作を説明する。図３は顧客操作表示部１１の表示例の説明図である。図４は暗証番号変更取引の処理の流れを説明するフローチャートである。
【００２８】
まず、顧客がＡＴＭ１に接近すると、制御部１８は、接近検知器１５によりこれを検知し、顧客操作表示部１１に、取引科目選択のための画面（図３（ａ））を表示する（Ｓ１０１）。
【００２９】
図３の（ａ）において、取引選択のための画面例を説明する。取引選択画面には、図示のように、お支払いキー、お預入れキー、残高照会キー、お振込みキー、通帳記帳キー及び暗証番号変更キーが表示される。又、顧客の取引開始を促す「いらっしゃいませ    ご希望の取引を選択してください」とのメッセージを表示する。
【００３０】
ここで、顧客が図３（ａ）の暗証番号変更キー３１を押下すると、制御部１８は、暗証番号変更取引を開始する（Ｓ１０２）。続いて、制御部１８は、顧客が本人であること確認するため、現在使用している暗証番号を入力するための現行暗証番号入力画面（図３（ｂ））を顧客操作表示部１１に表示する（Ｓ１０３）。
【００３１】
現行暗証番号入力画面（図３（ｂ））においては、現行暗証番号の入力を促すメッセージ「現在お使いの暗証番号を入力してください」とのメッセージが表示され、顧客はテンキー１９を用い入力を行う。入力された暗証番号は、図３（ｂ）の暗証番号表示エリア３４に表示される。このとき、暗証番号を「＊」等の記号に置き換えて表示する方法や入力された数字をそのまま表示する方法等があるが、同図は前者の方法を図示している。顧客は、暗証番号の訂正を、訂正キー３３を用いて行うことができる。
【００３２】
現行暗証番号の入力が終了すると、顧客は、確認キー３２を押下する。確認キー３２が押下されると、制御部１８は、ホストコンピュータ２１宛の送信電文を作成し、ホストコンピュータ２１に送信する（Ｓ１０４）。ホストコンピュータ２１において、暗証照合が行われ、暗証番号一致か又は不一致かが、ＡＴＭ１に送信され、ＡＴＭ１はこれを受信する（Ｓ１０５）。暗証照合の結果が不一致のときは、制御部１８により、カードの返却処理が行われる（Ｓ１０７）。
【００３３】
暗証照合の結果が一致のときは、ＡＴＭ１はホストコンピュータ２１からホストコンピュータ２１が保有する禁止暗証番号一覧及び禁止理由を含めて受信する。禁止暗証番号は、顧客の生年月日、住所、電話番号、電子メールアドレス、車ナンバなどから第三者が容易に推測できる番号である。これらはあらかじめホストコンピュータ２１で、データベース２２に記憶している顧客口座情報である顧客の生年月日、住所、電話番号、電子メールアドレス、車ナンバ等から作成され、データベース２２に登録されているか、又は、暗証番号変更取引の際、データベース２２に記憶している顧客口座情報である顧客の生年月日、住所、電話番号、電子メールアドレス、車ナンバ等から、その都度作成してもよい。従って、顧客口座情報は作成された禁止暗証番号の禁止理由の基となっていることになる。前記制御部１８は、ホストコンピュータ２１から受信する前記暗証番号変更取引のための情報に、前記顧客口座情報から作成した前記顧客の禁止暗証番号と前記禁止暗証番号の禁止理由を含めて受信し、これをメモリ部１６に記憶する（Ｓ１０８）。
【００３４】
続いて、制御部１８は、新暗証番号入力画面を編集し、図３（ｃ）のとおり禁止暗証番号２５の一覧を顧客操作表示部１１に表示する（Ｓ１０９）。
【００３５】
新暗証番号入力画面（図３（ｃ））においては、禁止暗証番号を避けて新しい暗証番号の入力を促すメッセージ「新しい暗証番号を入力してください  ただし、以下の禁止暗証番号は避けてください」とのメッセージが表示される。
【００３６】
ここで、図３（ｃ）に表示される禁止暗証番号一覧について説明する。暗証番号として使用できない禁止暗証番号２５とその禁止理由２６が一覧で表示される。例えば、禁止暗証番号２５の「０４２９」は、顧客の誕生日４月２９日であり、禁止理由２６に「お誕生日です」のメッセージが表示される。禁止暗証番号２５の「８７６５」は、顧客の電話番号の一部が使用されており、禁止理由２６に「電話番号です」のメッセージが表示される。禁止暗証番号２５の「４３２１」は、顧客の車ナンバの一部が使用されており、禁止理由２６に「お車の番号です」のメッセージが表示される。
【００３７】
顧客はテンキー１９を用い禁止暗証番号２５を避けて、新暗証番号の入力を行う。入力された新暗証番号は、図３（ｃ）の暗証番号表示エリア３４に表示されるが、このとき、暗証番号を「＊」等の記号に置き換えて表示する。顧客は、暗証番号の訂正があるときは訂正キー３３を用いて行うことができる。新暗証番号の入力が終了すると、顧客は確認キー３２を押下する。
【００３８】
確認キー３２が押下されると、制御部１８は、前記ステップにおいて、ホストコンピュータ２１から受信し、メモリ部１６に記憶した禁止暗証番号一覧を読み出す。そして、前記ステップ１０９において入力された新暗証番号と禁止暗証番号一覧を照合し（Ｓ１１０）、入力された新暗証番号が禁止暗証番号のいずれかと一致したときは、制御部１８は、警告メッセージ「お客様の入力されました新暗証番号は禁止暗証番号です    再度  別の番号をご入力ください」を顧客操作表示部１１に表示し（Ｓ１１１）、再び、新暗証番号入力画面を顧客操作表示部１１に表示する（Ｓ１０９）。
【００３９】
入力された新暗証番号が禁止暗証番号のいずれとも一致しないときは、制御部１８は、新暗証番号をホストコンピュータ２１に送信する（Ｓ１１２）。ホストコンピュータ２１は、新暗証番号を受信するとこれを暗証番号としてデータベース２２に記憶する顧客口座情報に登録する。
【００４０】
ここで、Ｓ１０９において、新暗証番号の入力が終了し、顧客が、確認キー３２を押下したとき、制御部１８は、入力された新暗証番号とホストコンピュータから受信した禁止暗証番号を照合しないで、入力された新暗証番号をホストコンピュータ２１に送信し、ホストコンピュータ２１において照合処理を行う方法もある。
【００４１】
ステップ１０８で説明したように禁止暗証番号は、ホストコンピュータ２１で顧客口座情報から作成されるが、顧客の住所、電話番号、電子メールアドレス、車ナンバ等に変更があり、これらの変更届けが金融機関に届けられると、データベース２２の顧客口座情報が更新され、禁止暗証番号も更新される。
【００４２】
以上発明を実施するための最良の形態によれば、顧客が自動取引装置を利用して自己の暗証番号を変更しようとする場合、第三者に推測され易い番号に気付くことが出来るので、推測され易い番号を暗証番号として登録することを未然に防ぐことが可能となる。
【００４３】
以上の説明ではキャッシュカードが１枚の場合について説明したが、２枚続けて暗証番号変更取引を行う場合は、制御部１８の制御により、１枚目の暗証番号変更取引終了後、２枚目のキャッシュカードの暗証番号変更取引を行うか否かの画面を顧客操作表示部１１に表示する。これにより複数枚続けて暗証番号の変更取引を行なうことができる。また、その際、他行のキャッシュカードの暗証番号を変更する場合でも、同様に制御部１８の制御により、変更取引を行なえば変更可能である。
【実施例１】
【００４４】
前記発明を実施するための最良の形態においては、ホストコンピュータ２１により禁止暗証番号を作成し、これを、暗証番号変更取引の際、ＡＴＭ１の顧客操作表示部１１に一覧表示し、顧客が新暗証番号として使用できない番号を顧客に知らせる暗証番号変更取引の動作を説明した。実施例１では、顧客の住所、電話番号、車等が新しくなったときを想定し、禁止暗証番号を顧客自らが追加できるようにする。
【００４５】
実施例１の取引の例を図５及び図７（ａ）において説明する。図５は禁止暗証番号追加希望問合せ取引の処理の流れを説明するフローチャートである。図７（ａ）は禁止暗証番号追加希望問合せ画面を顧客操作表示部１１に表示した表示例の説明図である。
【００４６】
前記発明を実施するための最良の形態において説明した、図４のフローと同様にステップ１１２において、制御部１８は、ホストコンピュータ２１への新暗証番号の送信する（Ｓ１１２）。制御部１８は、続いて、図７の（ａ）の禁止暗証番号追加希望問合せ画面を顧客操作表示部１１に表示する（Ｓ２０１）。禁止暗証番号追加希望問合せ画面（図７（ａ））においては、禁止暗証番号の追加登録ができることを知らせるメッセージ「お客様のご希望で禁止暗証番号を追加できます    次回  変更するときにお役に立ちます」が表示される。
【００４７】
顧客は、本取引を希望しないときは、「追加しない」キー３５を押下し取引を終了させる。顧客は希望があれば、テンキー１９を用い、追加すべき禁止暗証番号の入力を行う。入力された暗証番号は、図７（ａ）の禁止暗証番号表示エリア３６に「１２１３」のように表示されるが、このとき、暗証番号を「＊」等の記号に置き換えて表示する方法や入力された数字をそのまま表示する方法等がある。
【００４８】
禁止暗証番号の追加入力と併せて、禁止理由を、禁止理由キー３７を用いて入力することができる。禁止理由には、新住所、新電話、新車、その他が考えられるがこれに限定されない。３３は訂正キーである。追加する禁止暗証番号の入力及び禁止理由の入力が終了すると、顧客は確認キー３２を押下する。
【００４９】
確認キー３２が押下されると、制御部１８は、追加された禁止暗証番号をホストコンピュータ２１に送信する（Ｓ２０２）。ホストコンピュータ２１は、当該禁止暗証番号を受信すると、これを禁止暗証番号としてデータベース２２の顧客口座情報に追加登録する。
【００５０】
以上実施例１によれば、ホストコンピュータに接続されたデータベースに登録された禁止暗証番号の一覧に対し、顧客自らが、第三者に推測され易いと思われる暗証番号を事前に禁止暗証番号として登録できるため、推測され易い暗証番号を登録することを未然に防ぐことができる。さらに金融機関にとって、顧客に対しよりきめ細かいサービスを提供することができる。
【実施例２】
【００５１】
前記実施例１では、顧客の住所、電話番号、車等が新規になったときを想定し、禁止暗証番号を顧客自らが追加できるようにした。実施例２では、あらかじめ暗証番号に使用できる番号列を自らが許可暗証番号として自動取引装置から登録するものである。顧客は次回暗証番号変更取引のときに変更する予定の暗証番号を、予め許可暗証番号として登録する。すなわち、次回に暗証番号変更取引が実行されたときは、当該許可暗証番号の範囲でのみ暗証番号の変更が可能となる。
【００５２】
実施例２を図６及び図７の（ｂ）を用いて説明する。図６は許可暗証番号希望問合せ取引の処理の流れを説明するフローチャートである。図７（ｂ）は許可暗証番号希望問合せ画面を顧客操作表示部１１に表示した表示例の説明図である。
【００５３】
顧客が万一キャッシュカードを紛失又は盗難にあったときで、悪意の第三者が何らかの方法により現行の暗証番号を知った場合は、暗証番号変更システムにより、暗証番号を任意の番号に変更されてしまうおそれある。本実施例は、このような場合を想定したものである。
【００５４】
前記発明を実施するための最良の形態において説明した図４のフローと同様にステップ１１２において、制御部１８は、ホストコンピュータ２１への新暗証番号の送信を行い、暗証番号変更取引を終了する（Ｓ１１２）。制御部１８は、続いて、図７の（ｂ）の許可暗証番号希望問合せ画面を顧客操作表示部１１に表示する（Ｓ３０１）。
【００５５】
許可暗証番号希望問合せ画面（図７（ｂ））においては、次回暗証番号を変更するときの許可暗証番号をあらかじめ追加登録ができることを知らせるメッセージ「お客様のご希望で次回変更するときのために  あらかじめ暗証番号を決めておくことができます」が表示される（Ｓ３０１）。顧客は、本取引を希望しないときは、「決めない」キー３８を押下し取引を終了させる。
【００５６】
顧客は希望があれば、テンキー１９を用い許可暗証番号の入力を行う。入力された暗証番号は、図７（ｂ）の許可暗証番号表示エリア３９に「４５６７」のように表示されるが、このとき、暗証番号を「＊」等の記号に置き換えて表示する方法や入力された数字をそのまま表示する方法等がある。顧客は、暗証番号の訂正を、訂正キー３３を用いて行うことができる。登録する許可暗証番号の入力が終了すると、顧客は、確認キー３２を押下する。
【００５７】
確認キー３２が押下されると、制御部１８は、入力された許可暗証番号をホストコンピュータ２１に送信する（Ｓ３０２）。ホストコンピュータ２１は、許可暗証番号を受信するとこれを許可暗証番号としてデータベース２１に記憶される顧客口座情報に登録する。なお、図７（ｂ）では、許可暗証番号表示エリア３９は一つの暗証番号を表示するように図示されているが、複数のエリアを設け、一度の取引で、複数の許可暗証番号を入力するようにしてもよい。    
【００５８】
本実施例によれば、前記禁止暗証番号とは別に許可暗証番号の一覧を、次回の暗証番号変更取引のために、顧客が自己の都合で作成することができるので、顧客が万一、キャッシュカードを紛失又は盗難にあったときで、悪意の第三者が何らかの方法により現行の暗証番号を知った場合は、暗証番号を任意の番号に変更されてしまうことを防止することができる。
【図面の簡単な説明】
【００５９】
【図１】本発明の自動取引装置の外観図である。
【図２】自動取引装置とホストコンピュータから構成される自動取引システムの構成図である。
【図３】顧客操作表示部の表示例の説明図である。
【図４】暗証番号変更取引の処理の流れを説明するフローチャートである。
【図５】禁止暗証番号追加希望問合せ取引の処理の流れを説明するフローチャートである。
【図６】許可暗証番号希望問合せ取引の処理の流れを説明するフローチャートである。
【図７】顧客操作表示部の表示例の説明図である。
【符号の説明】
【００６０】
１    自動取引装置（ＡＴＭ）
１１  顧客操作表示部
１８  制御部
１９  テンキー
【図１】
0005309484.tif 000002
【図２】
0005309484.tif 000003
【図３】
0005309484.tif 000004
【図４】
0005309484.tif 000005
【図５】
0005309484.tif 000006
【図６】
0005309484.tif 000007
【図７】
0005309484.tif 000008